(57)【特許請求の範囲】
【請求項１】
駆動源用制御装置８５に設けられた電源９０及びメイン開閉スイッチ９１と、錠ケース７に設けられた駆動源３０とを直列に接続して引戸全閉時の主施解錠制御回路９２を構成し、一方、前記錠ケースに通風状態設定用開閉スイッチ８０を設け、この開閉スイッチ８０を主施解錠制御回路９２に並列に接続することにより引戸半開時の施解錠制御枝路９３を構成し、また引戸１には所要間隔を有して半開用デッドボルト３Ａと全閉用デッドボルト３Ｂとを設け、一方、これらのデッドボルト３Ａ、３Ｂに係脱し、かつ、錠ケースに内蔵された施解錠機構Ｘの一部を構成するラッチ５０には、該ラッチと共に移動して前記通風状態設定用開閉スイッチ８０を作動させる従動体７０を組合わせたことを特徴とする引戸用電気錠の施解錠制御装置。
【請求項２】
請求項１に於いて、施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支され、かつ、ラッチ用復帰バネ７９で常時突出方向に付勢されたラッチ５０と、このラッチに軸支され、かつ、全閉用デッドボルト３Ｂが引戸を開く初期の段階で開放方向Ａに移動すると、従動体用復帰バネ７８のバネのバネ力により所定量回転してそのまま所定位置で停止する従動体７０とから構成されていることを特徴とする引戸用電気錠の施解錠制御装置。
【請求項３】
請求項１に於いて、通風状態設定用開閉スイッチ８０は、全閉用デッドボルト３Ｂがラッチ５０に係止されている時は、従動体７０が開閉スイッチ８０に接触して「スイッチＯＦＦ」となり、一方、全閉用デッドボルト３Ｂが半開方向へ水平動することにより従動体７０がラッチ５０と共に移動し、突起部７６が開閉スイッチ８０から離れるや否や駆動源３０に対して「スイッチＯＮ」と成ることを特徴とする引戸用電気錠。
【請求項４】
請求項１に於いて、引戸半開時の施解錠制御枝路９３には、駆動源用制御装置８５により開閉が制御される選択スイッチ９４が設けられていることを特徴とする引戸用電気錠の施解錠制御装置。
【発明の詳細な説明】
【０００１】
【発明の属する技術分野】
本発明は引戸用電気錠の施解錠制御装置に関する。本発明は、例えば特別養護老人ホームや病院などの引戸用電気錠の施解錠制御装置に適する。
【０００２】
【従来の技術】
特別養護老人ホームや病院では、天気の良い日などには、「風を入れたい」という理由で引戸を多少開くような場合がある。このような場合、管理上の観点から、引戸の全閉時はもちろん、所望の通風空間を設定した半開状態（ここでは一般に人の通過が不可能な空間状態：例えば１２ｃｍを意味する。）に於いても確実に引戸を施錠状態にする必要がある。
【０００３】
そこで、現在、簡単な電気回路及び施解錠機構により、引戸の全閉時並びに半開時に確実に施錠できる引戸用電気錠の施解錠制御装置の出現が要望されている。
【０００４】
【発明が解決しようとする課題】
本発明は以上のような従来の要望点に鑑み、第１の目的は簡単な電気回路を採用し、引戸の開放スピード如何（速い、普通、遅い）を問わず、引戸を少しでも開けると、必ず引戸を半開状態で施錠できることである。第２の目的は半開状態に於ける施錠用信号を確実に取り出すことができることである。第３の目的は、第１及び第２の目的を前提に、引戸を半開（通風）状態にするか否かを自由に制御することができることである。
【０００５】
【課題を解決するための手段】
本発明の引戸用電気錠の施解錠制御装置は、駆動源用制御装置８５に設けられた電源９０及びメイン開閉スイッチ９１と、錠ケース７に設けられた駆動源３０とを直列に接続して引戸全閉時の主施解錠制御回路９２を構成し、一方、前記錠ケースに通風状態設定用開閉スイッチ８０を設け、この開閉スイッチ８０を主施解錠制御回路９２に並列に接続することにより引戸半開時の施解錠制御枝路９３を構成し、また引戸１には所要間隔を有して半開用デッドボルト３Ａと全閉用デッドボルト３Ｂとを設け、一方、これらのデッドボルト３Ａ、３Ｂに係脱し、かつ、錠ケースに内蔵された施解錠機構Ｘの一部を構成するラッチ５０には、該ラッチと共に移動して前記通風状態設定用開閉スイッチ８０を作動させる従動体７０を組合わせたことを特徴とする。
【０００６】
また上記構成に於いて、施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支され、かつ、ラッチ用復帰バネ７９で常時突出方向に付勢されたラッチ５０と、このラッチに軸支され、かつ、全閉用デッドボルト３Ｂが引戸を開く初期の段階で開放方向Ａに移動すると、従動体用復帰バネ７８のバネのバネ力により所定量回転してそのまま所定位置で停止する従動体７０とから構成されていることを特徴とする。
【０００７】
【発明の実施の形態】
以下、図面に示す本発明の実施の形態を、引戸１の上端部或いは上框２に設けた支持箱４に取付けられた複数個のデッドボルト３Ａ、３Ｂと、これらのデッドボルト３Ａ、３Ｂに対してそれぞれ係脱する１個のラッチ５０並びにこのラッチ５０に組合わせられた従動体（トリガー）７０とを含む電気錠の施解錠機構Ｘを内蔵し、かつ、望ましくは戸枠の上枠５内に設けられた錠ケース７と、引戸１の付近の壁や柱、管理室など建物の適当な箇所に設置され、かつ、電源やスイッチ等が設けられた駆動源用制御盤或いは制御装置８５との関係で説明する。
【０００８】
まず複数個のデッドボルト３Ａ、３Ｂについて説明する。デッドボルト３Ａ、３Ｂは、図１で示すように引戸１のデッドボルト用支持箱４に所要間隔を有して固定されている。ここで「所要間隔」とは、通風空間用の半開状態を形成するためのあいだを意味する。なお、デッドボルト３Ａ、３Ｂの幅は同一であるが、同一の直線ライン上には位置していない（互い違い）。
【０００９】
図１を基準にすると、左右のデッドボルト３Ａ、３Ｂは、横方向に横設された長箱状の支持箱４に下端部３ａが上下方向にスライド可能に内装され、一方、支持箱から突出する上端部３ｂが後述する駆動体としてのラッチ５０に係合する。そして、左右のデッドボルト３Ａ、３Ｂは、支持箱４に対し、固定具６を介してそれぞれ突出量を任意に調整することができる。
【００１０】
デッドボルト３Ａ（３Ｂ）の突出量の調整手段の一例について図５を参照に説明する。８は支持箱４の左右の部位にそれぞれ縦方向に形成された調整長孔、９はデッドボルト３Ａ（３Ｂ）に形成され、かつ、前記調整長孔８と符合するボルト６ａ用メネジ貫通孔、６ｂは座金、６ｃはボルト６ａに螺着するナットである。
【００１１】
ところで、本実施例では支持箱４の所定位置に合計２個のデッドボルト３Ａ、３Ｂがそれぞれ設けられているが、引戸の開放側端部に位置するデッドボルト３Ａは、引戸１を半開状態にした時に施解錠機構Ｘのラッチ５０に係止ロックされる係合片であり、一方、引戸の開放側端部寄りの部位に位置するデッドボルト３Ｂは、引戸１を全閉状態にした時に前記ラッチ５０に係止ロックされる係合片である。
【００１２】
次に施解錠機構Ｘを内蔵する錠ケース７について説明する。錠ケース７は長箱状に形成され、上述したように戸枠の上枠５内に横設されている。ここで図１を基準にすると、７ａは前壁、７ｂは後壁、７ｃは左側壁、７ｄは右側壁、７ｅは上壁、７ｆは底壁である。
【００１３】
図１又は図３で示すように前壁７ａ及び後壁７ｂには、それぞれ対向する複数個の案内部としての垂直ガイド長孔１１、１２や軸孔１３、１４、１５が適宜に形成されている。
【００１４】
しかして、１１は錠ケース７の右側壁７ｄ寄りの部位に形成された弧状部を有する第１垂直ガイド長孔で、この第１垂直ガイド長孔１１にはラッチ５０を案内するガイド部材としての横軸１６が横架されている。
【００１５】
また１２は第１垂直ガイド長孔１１に対して形成され、かつ、錠ケース７の略中央部に位置する第２垂直ガイト長孔で、この第２垂直ガイド長孔１２には横軸１６と相俟ってラッチ５０を上下方向に案内するラッチ突起軸６０が係合する。
【００１６】
また１３は錠ケース７の中央部寄りの部位に形成された第１軸孔で、この第１軸孔１３には後述する回動ロック部材を枢支する軸（突起軸又は横軸）１７が取付けられる。また１４は錠ケース７の略中央部に位置する第２軸孔で、この第２軸孔１４にはトリガーバネ用軸１８が取付けられる。また１５は錠ケース７の右端部に位置する第３軸孔で、この第３軸孔１５にはラッチバネ用軸１９が取付けられる。
【００１７】
さらに、錠ケース７の底壁７ｆには、錠ケース７の一部を形成する長板状の取付け板２０が固定的に設けられ、この取付け板２０には固着具２１を介してフロント板２２が一体的に取付けられている。そして、各板２０、２２の右端部よりの部位には、ラッチ用貫通孔２３が形成されている。
【００１８】
次に錠ケース７に設けられた施解錠機構Ｘを構成する各部材について説明する。この施解錠機構Ｘは、回転及び上下方向に移動可能な駆動体（ラッチ）５０と、この駆動体と共に錠ケース７内に後退動する従動体（トリガ）７０と、この従動体の回転動を利用し、ソレノイドに素早く通電させるための通風状態設定用開閉スイッチ８０等を有している。
【００１９】
そこで、まず３０は駆動源の一例としてのソレノイドである。このソレノイド３０は錠ケース７内に横設され、かつ、配線用の電気コード８６、コネクター８７を介し、駆動源用制御装置（制御盤）８５の電源、複数個の開閉スイッチに電気的に接続している。
【００２０】
ここで、図２を参照に駆動源用制御装置８５を含む電気回路について説明する。８８は駆動源用制御装置８５内に設けられた電力変換装置で、この電力変換装置８８は商業用の交流電源８９を直流電源９０に変換する。９１は駆動源通電用のメイン開閉スイッチで、このメイン開閉スイッチ９１は前記直流電源９０及び錠ケース７内に設けられたソレノイド３０に前記配線用の電気コード８６を介して直列に接続され、本実施例では引戸全閉時の主施解錠制御回路９２を構成している。
【００２１】
９３は主施解錠制御回路９２に並列に接続された引戸半開時の施解錠制御枝路である。この施解錠制御枝路９３には、制御装置８５内に設けられた引戸全開用選択スイッチ９４及び錠ケース７内に設けられた通風状態設定用開閉スイッチ８０がそれぞれ直列に設けられている。３１はソレノイド３０の作動杆で、この作動杆３１は水平方向に伸縮動するが、本実施例では通電時に伸張し、一方、非通電時には収縮する。
【００２２】
次に３５は作動杆３１の伸縮動により回動するように錠ケース７に軸１７を介して軸支された回動ロック部材である。回動ロック部材３５は、ソレノイド３０の通電時に作動杆３１が伸張するとラッチ５０の回転を阻止するロック方向に、一方、非通電時に作動杆３１が収縮するとラッチ５０の回転を許容するロック解除の方向にそれぞれ回転する。
【００２３】
しかして、回動ロック部材の軸受板３６の一方の左下端部には突起部３９が形成され、この突起部３９は底壁７ｆに設けられたソレノイド用の施解（伸張）及び・解錠（収縮）状態を検出する検出手段８１とプッシュ的に接触可能である。また軸受板３６の下端部寄りの右側にはやや幅広のロックアーム部４１が突出し、このロックアーム部４１にはラッチの後退側垂直面と当接する水平ローラ４２が設けられている。また４４は回動ロック部材３５内に位置するように軸１７に巻装された回動ロック部材用バネ４４である。回動ロック部材３５はこのバネ４４により常時ロック解除の方向（反時計方向）に付勢されている。
【００２４】
次に錠ケース７のラッチ用貫通孔２３から進退動可能に突出するラッチ５０について説明する。本実施例に於いては、ラッチ５０は従動体（トリガ）７０との関係では支軸５９を介して従動体７０を錠ケース７内に持ち上げ（後退させ）たり、錠ケース７内から元の位置へと復帰（突出）させたりする。また引戸１の係合部材（デッドボルト）との関係ではストッパーとしの機能を発揮する。
【００２５】
そこで、このラッチ５０を図６に基づいて説明する。５１は錠ケース７から突出する垂直係止面である。この垂直係止面５１は引戸１を半開〜全開方向へ開くと、デッドボルト３Ｂ、３Ａの一側面に係脱〜係合する。
【００２６】
５２は垂直係止面５１の下端縁から後方へ連設するテーパー状摺接面である。このテーパー状摺接面５２は引戸１を全開〜半開位置から全閉位置へと閉じると、デッドボルト３Ａ、３Ｂの他側面に係脱する。
【００２７】
５３はテーパー状摺接面５２にやや弧状に連設すると共に、ラッチ用貫通孔２３に遊嵌合する後方連設部である。５４はこの後方連設部５３と錠ケース７内に常時位置する上壁５５にそれぞれ連設する突起部で、この突起部５４には固定軸筒５６を介して横軸１６が設けられている。
【００２８】
５７は全体としてピストル形状に形成された前後の側壁で、この前後の側壁５７には錠ケース７の第２垂直ガイド長孔１２と係合する一対の突起軸６０が形成されている。また本実施例では一方側壁５７の略中間部（突起軸６０と横軸１６とに間）に、従動体７０を枢支する支軸５９が突設されている。
【００２９】
６１は前記上壁５５の先端部に突起状に形成され、かつ、回動ロック部材３５の水平ローラ４２と当接する後退側垂直面６１ａを有する当接部である。
【００３０】
次に全閉用デッドボルト３Ｂが半開方向へ水平動するとラッチ５０と共に移動（本実施例ではやや回転しながら上下動）し、かつ、トリガーバネのバネ力により所定量回転したまま所定位置に保持され、一方、全閉用デッドボルト３Ｂが全閉方向へ水平動すると再びラッチ５０と共に移動し、かつ、トリガーバネのバネ力により元の位置に復帰する従動体（トリガー）７０について説明する。
【００３１】
この従動体７０は、図７、図８で示すように、望ましくは一部に切欠部や開閉スイッチ８０用突起部を有する外周円形〜多角形の板状体が用いられる。
【００３２】
しかして、７１はラッチ５０の支軸５９が嵌挿する中心孔で、この中心孔７１を介して従動体７０はラッチ５０に回動可能に装着されている。７２はこの中心孔７１から左下半径方向へ広がるように一部切欠された切欠部で、この切欠部７２はラッチ５０の垂直係止面５１と全閉用デッドボルト３Ｂとの係合関係を考慮し、本実施例では山形状に切欠されている。そこで、従動体７０を山形状切欠部７２との関係で親指〜人差し指の形態に例えると、７３はラッチ５０の前の側壁５７の一部に対向する親指部であり、一方、７４は引戸の半開時錠ケース７から突出する反面、引戸の全閉の際には全閉用デッドボルト３Ｂの上端面と一旦摺接する人差し指部である。
【００３３】
７５は、図８を基準にすると板状従動体７０の前壁面７０ａの上部に設けられた突出ピンで、一方、７６は板状従動体７０の後壁面７０ｂの上部に設けられた検出手段用突起部である。前記突出ピン７５は開閉スイッチ８０用突起部７６よりも右側に位置し、トリガーバネ７８と相俟って従動体７０を左右いずれかの方向に回転させる役割を果たす。また前記突起部７６は、トリガー７０が一方向へ回転した際にラッチ５０の上壁５５と当接し、トリガー７０がフリーにならないように所定位置に保持する役割を果たす。
【００３４】
次に７８は軸１８に巻装され、かつ、一端部７８ａ側が従動体７０の突出ピン７５に圧接係合する従動体用付勢バネである。一方、７９は軸１９に巻装され、かつ、ラッチ５０の固定軸筒５６に圧接するラッチ用復帰バネである。
【００３５】
次にソレノイドに素早く通電させるための検出信号を拾う通風状態設定用開閉スイッチ８０について説明する。この開閉スイッチ８０は錠ケース７に内装され、従動体７０に対して設けられている。本実施例では引戸１が全閉状態の時、その可動接片８０ａが突起部７６に押圧され、施解錠制御枝路９３に於いてソレノイド３０に対し通電スイッチＯＦＦであり、一方、全閉用デッドボルト３Ｂが半開方向へ水平動することにより従動体７０がラッチ５０と共に移動し、その可動接片８０ａが突起部７６から離れるや否や、ソレノイド３０に対して通電スイッチＯＮと成る。なお、８１は施解錠機構Ｘの施解状態又は解錠状態の信号を検出するための検出手段で、この検出手段８１は本発明の構成を特定するための要件ではない。
【００３６】
上記構成に於て、まず図３は、引戸１が全閉状態で、かつ、ソレノイド３０が通電状態の説明図（引戸全閉時施錠）である。この引戸全閉時施錠の状態の電気回路を図４で簡単に示す。この場合メイン開閉スイッチ９１及び選択スイッチ９４は閉じ、一方、通風状態設定用開閉スイッチ８０は開いている。したがって、図３で示すようにソレノイド３０の作動杆３１は主施解錠制御回路９２側の通電により伸張し、回動ロック部材３５の水平ローラ４２はラッチ５０の後退側垂直面６１ａに当接している。それ故にラッチ５０は反時計方向に回転することができず、そのため全閉用デッドボルト３Ｂはラッチ５０に阻止されている。
【００３７】
次に図９は、引戸１が全閉状態で、かつ、ソレノイド３０が非通電状態の説明図である（引戸全閉時解錠）。この場合主施解錠制御回路９２のメンイ開閉スイッチ９１は開く。そのためソレノイド３０の作動杆３１は収縮し、回動ロック部材３５は反時計方向に回転する。これにより回動ロック部材３５の水平ローラ４２はラッチ５０の後退側垂直面６１ａから離れる。検出手段８１は、ソレノイド３０の非通電状態を検出し、この状態の検出信号を制御装置８５に送る。したがって、ラッチ５０は反時計方向に回転することができ、そのため全閉用デッドボルト３Ｂは矢印Ａ方向へ移動可能になる。
【００３８】
次に引戸１を開放方向Ａへと開くと、ラッチ５０は全閉用デッドボルト３Ｂの移動により、ラッチ用復帰バネ７９のバネ力に抗して突起軸６０を支点に反時計方向へ回転する。そうすると、従動体７０はラッチ５０に支軸５９を介して一体的に連結されているので、ラッチ５０の軌跡に基づいて錠ケース７内に回転後退する。この場合従動体７０の突出ピン７５は付勢バネ７８の一端部７８ａをそのバネ力に抗して押し上げ、従動体７０の中心孔７１よりも左側へと移行する。この突出ピン７５の移行時に従動体７０の突起部７６は開閉スイッチ８０の可動接片８０ａから離れる。この引戸半開ヘの移行時に於ける施錠状態の電気回路を図１２で示す。この場合メイン開閉スイッチ９１は既に開いているが、引戸１を全開状態にすることができる選択スイッチ９４はそのま閉じている。そして、通風状態設定用開閉スイッチ８０は閉じる。
【００３９】
次に図１０は、引戸１を開放方向Ａへさらに開き、全閉用デッドボルト３Ｂがラッチ５０の下方を通過した場合を示す。この場合ラッチ５０はラッチ用復帰バネ７９のバネ力により回転して直ぐ元の位置に復帰する。この時従動体７０は突出ピン７５の位置が左側に移行しているため、付勢バネ７８のバネ力により支軸５９を支点に反時計方向へ回転し、そのまま付勢バネ７８により押さえ付けられ、かつ、突起部７６がラッチ５０の上壁５５と当接するため、所定位置に回転停止する。この時施解錠制御枝路９３の開閉スイッチ８０は「スイッチＯＮ」のままである。回動ロック部材３５は作動杆３１の伸張により、バネ４４のバネ力に抗して時計方向に回転し、ラッチ５０の回転を確実に阻止している。
【００４０】
ところで、この引戸の半開時施錠状態に於いて、引戸１の施錠状態を解消し、引戸１の全開を望む場合は、制御装置８５側の選択スイッチ９４を「開」にすれば良い。
【００４１】
図１１は、引戸１を開き、半開用デッドボルト３Ａがラッチ５０に係止ロックされた場合の説明図（引戸半開時施錠）である。この場合半開用デッドボルト３Ａは、全閉用デッドボルト３Ｂに対して互い違いに位置しているので、従動体７０の人差し指部７４が錠ケース７から突出していても邪魔にならない。
【００４２】
次に図１３は、引戸１を半開状態から全閉方向Ｂへ移動させ、全閉用デッドボルト３Ｂによりラッチ５０が錠ケース７内へと後退した場合の説明図である。この場合全閉用デッドボルト３Ｂがラッチ５０のテーパー状摺接面５２に摺接すると、ラッチ５０はラッチ用復帰バネ７９のバネ力に抗し、かつ、横軸１６、突起軸６０を介し、第１垂直ガイド長孔１１及び第２垂直長孔１２に案内されながら錠ケース７内へと水平後退する。したがって、従動体７０もラッチ５０と共に錠ケース７内へと水平後退する。
【００４３】
しかして、図１４で示すように全閉用デッドボルト３Ｂがラッチ５０及び従動体７０の下方を通過する際、従動体７０はその人差し指部７４が全閉用デッドボルト３Ｂの上端面と摺接する一方、その後ラッチ５０が錠ケース７から突出するのに追従し、かつ、トリガーバネ７８のバネ力により支軸５９を支点に時計方向に回転する。その結果、従動体の突出ピン７５は元の位置へと戻ると共に、その突起部７６が開閉スイッチ８０の可動接片８０ａを押圧し、開閉スイッチ８０は「スイッチＯＦＦ」と成る。
【００４４】
したがって、ソレノイド３０は一旦非通電状態になるが、その後制御装置８５は検出手段８１からの信号を受理した後、主施解錠制御回路９２のメイン開閉スイッチ９１を閉じ、ソレノイド３０を通電状態にする。そして、前述した図３で示すように全閉状態になると、ラッチ５０はラッチ用復帰バネ７９のバネ力により錠ケース７から突出し、全閉用デッドボルト３Ｂを係止する。
【００４５】
【実施例】
まず本発明の実施例に於いては、開閉スイッチ８０、８１の一例としては、マイクロスイッチが使用される。また錠ケース７のラッチ５０を上下方向に案内する案内部は垂直ガイド溝であっても良い。また従動体７０は、本実施例では支軸５９を支点に略６０度回転する。またデッドボルト３Ａ、３Ｂは同一の直線ライン上には位置していないが、仮にデッドボルト３Ａ、３Ｂは同一の直線ライン上に位置させる場合には、半開用デッドボルト３Ａの幅は従動体と衝突しないように全閉用デッドボルト３Ｂのそれよりも狭いことが必要である。
【００４６】
さらに、トリガー７０の人指し指部７４の長さは親指部７３と略同等であるが、例えば引戸１の全閉時の際に人指し指部７４がデッドボルト３Ｂの上端部に係合するように親指部７３よりも多少長く設定しても良い。
【００４７】
【発明の効果】
以上の説明から明らかなように、本発明にあっては次に列挙するような効果がある。
（１）簡単な電気回路を採用し、引戸の開放スピード如何（速い、普通、遅い）を問わず、引戸を少しでも開けると、必ず引戸を半開状態で施錠できる。
（２）半開状態に於ける施錠用信号を確実に取り出すことができる。
（３）トリガーがラッチと共にスムースに作動する。
（４）ラッチにトリガーを組合わせているので、錠ケースのコンパクト化の要望を満たすことができる。
（５）選択スイッチが設けられている実施例の場合は、引戸を半開（通風）状態にするか否かを自由に制御することができる。
【図面の簡単な説明】
図１乃至図１４は本発明の実施の形態を説明するための第１実施例に基づく各説明図。
【図１】引戸の全閉状態に於に於ける概略説明図。
【図２】錠ケース内の施解錠機構との関係に於いて、電気回路の全体を示す概略説明図。
【図３】錠ケース内の施解錠機構を構成する各部材並びに支持箱側の部材（主にデッドボルト）の配置を示す概略説明図。なお、引戸が全閉状態で、かつ、駆動源が通電状態の説明図（引戸全閉時施錠）でもある。
【図４】引戸全閉時施錠状態の電気回路を示す説明図。
【図５】支持箱側の部材（主にデッドボルト）を示す斜視からの説明図。
【図６】駆動体（ラッチ）と従動体（トリガー）との関係を示す斜視からの説明図。
【図７】従動体を示す斜視図。
【図８】従動体と他の部材との関係を示す概略説明図。
【図９】図３に於いて、駆動源が非通電状態の説明図（引戸全閉時解錠）。
【図１０】全閉用デッドボルトがラッチの下方を通過中に駆動源が施解錠制御枝路により通電状態になった場合の説明図。
【図１１】引戸を半開状態にし、半開用デッドボルトがラッチに係止ロックされた場合の説明図（引戸半開時施錠）。
【図１２】図１０に於ける電気回路の状態を示す説明図。
【図１３】引戸を半開状態から全閉方向Ｂへ移動させ、全閉用デッドボルトによりラッチが錠ケース内へと後退した場合の説明図。
【図１４】図１３に於いて、全閉用デッドボルトがラッチ及び従動体の下方を通過し、ラッチに係止された説明図。
【符号の説明】
１…引戸、２…上框、３Ａ…半開用デッドボルト、３Ｂ…全閉用デッドボルト、４…支持箱、５…上枠、６…固定具、７…錠ケース、１１、１２…垂直ガイド長孔、１３、１４、１５…軸孔、１６…横軸、１７、１８、１９…軸、５９…支軸、６０…突起軸、２０…取付け板、２１…固着具、２２…フロント板、Ｘ…施解錠機構、３０…駆動源、３１…作動杆、３３…駆動ピン、３５…回動ロック部材、３６…軸受板、３９…突起部、４１…ロックアーム部、４２…水平ローラ、５０…ラッチ、５１…垂直係止面、５２…摺接面、５４…突起部、５５…上壁、５６…固定軸筒、５７…前後の側壁、６１…当接部、７０、７０Ａ…従動体、７１…中心孔、７２…切欠部、７３…親指部、７４…人差し指部、７５…突出ピン、７８…付勢バネ、７９…復帰バネ、８０…通風状態設定用開閉スイッチ、８１…検出手段、８５…制御装置、８６…電気コード、８７…コネクター、８８…電力変換装置、８９…交流電源、９０…直流電源、９１…メイン開閉スイッチ、９２…主施解錠制御回路、９３…施解錠制御枝路、９４…選択スイッチ、Ａ…開放方向、Ｂ…全閉方向。
【図１】
0003860865.tif 000002
【図２】
0003860865.tif 000003
【図３】
0003860865.tif 000004
【図４】
0003860865.tif 000005
【図５】
0003860865.tif 000006
【図６】
0003860865.tif 000007
【図７】
0003860865.tif 000008
【図８】
0003860865.tif 000009
【図９】
0003860865.tif 000010
【図１０】
0003860865.tif 000011
【図１１】
0003860865.tif 000012
【図１２】
0003860865.tif 000013
【図１３】
0003860865.tif 000014
【図１４】
0003860865.tif 000015